(57)【要約】【課題】番組録画中に緊急速報文を受信した場合、これを番組とともに録画するか否かについて、従来では、緊急速報文を番組から抜き出して記録しておき、これを録画時間帯の末尾の映像と合成して録画するものが提案されている。しかし、緊急速報文の内容が反映される生放送のニュース番組などにおいては、これを抜き出してしまうことで後の再生時に番組を把握することが困難になってしまう。【解決手段】そこで、緊急速報文を表示する機能を有する画像録画装置であって、現在録画中の番組が生放送であるかを判断する第一判断部と、現在録画中の番組のコンテンツ属性を判断する第二判断部と、第一判断部での判断結果と第二判断部での判断結果と所定のルールを用いて受信した緊急速報文を録画するか判断する第三判断部と、第三判断部での判断結果に従って緊急速報文を番組とともに録画する画像録画装置を提供する。【選択図】図３
2013126038.tif 000002
【特許請求の範囲】
【請求項１】
緊急速報文を表示する機能を有する画像録画装置であって、
現在録画中の番組が生放送であるかを判断する第一判断部と、
現在録画中の番組のコンテンツ属性を判断する第二判断部と、
第一判断部での判断結果と第二判断部での判断結果と所定のルールを用いて受信した緊急速報文を録画するか判断する第三判断部と、
第三判断部での判断結果に従って緊急速報文を番組とともに録画する画像録画装置。
【請求項２】
緊急速報文を含む文字スーパーの表示・非表示を設定する設定部を有し、
設定部での設定が文字スーパーの非表示設定である場合には、第一判断部、第二判断部、第三判断部のいずれか一以上が非稼働となるように構成されている請求項１に記載の画像録画装置。
【請求項３】
第二判断部は、現在録画中の番組のコンテンツ属性として、番組のジャンル情報を利用する請求項１又は２に記載の画像録画装置。
【請求項４】
第三判断部での判断結果が緊急速報文を番組とともに録画しないとの判断結果である場合には、緊急速報文を番組とは別に記録する緊急速報文記録部を有する請求項１から３のいずれか一に記載の画像録画装置。
【請求項５】
前記所定のルールを変更するルール変更部をさらに有する請求項１から４のいずれか一に記載の画像録画装置。
【請求項６】
請求項１から５に記載の画像録画装置を構成に含むテレビジョン受信装置。
【請求項７】
緊急速報文を表示する機能を有する画像録画装置の動作方法であって、
現在録画中の番組が生放送であるかを判断する第一判断ステップと、
現在録画中の番組のコンテンツ属性を判断する第二判断ステップと、
第一判断部での判断結果と第二判断部での判断結果と所定のルールを用いて受信した緊急速報文を録画するか判断する第三判断ステップと、
第三判断部での判断結果に従って緊急速報文を番組とともに録画する録画ステップと、を含む画像録画装置の動作方法。
【発明の詳細な説明】
【技術分野】
【０００１】
本発明は、番組の録画中に緊急速報文が放送された場合に、その番組の内容等に応じて緊急速報文を番組とともに録画する画像録画装置に関する。
【背景技術】
【０００２】
地震や洪水などのように緊急的に報知すべき事象が生じた際に、テレビビジョン放送においてそれらを報知するための緊急速報が文字等にて画面に表示される。このような緊急速報文が表示されることで、その時に視聴している者は、その事象を知り、又は、それに対する備えを行うことができ、極めて重要な意義があるといえる。しかしながら、録画しておいた番組のなかで表示される緊急速報文を後になって見る場合には、その緊急速報文に係る事象が既に過去のものとなっており、その意義が失われている場合がある。さらには、番組によっては、その録画した番組を視聴する者の興をそぐことにもなりかねない。
【０００３】
そこで、特許文献１には、録画中に緊急速報文を受信した場合に、受信した緊急速報文を番組から抜き出して記録しておき、この緊急速報文を録画時間帯の末尾の映像と合成して録画するテレビジョン受信装置が提案されている。これにより、録画した番組の末尾にて緊急速報文が表示されることになり、視聴者の興をそぐようなことが少なくなる。
【先行技術文献】
【特許文献】
【０００４】
【特許文献１】特開２０００−６８９３６号公報
【発明の概要】
【発明が解決しようとする課題】
【０００５】
特許文献１のテレビジョン受信装置は、録画される番組内容の如何を問わず緊急速報文が抜き出されてしまう点に問題がある。すなわち、緊急速報文と番組とがおよそ不可分な関係にある場合であっても抜き出されてしまう点である。例えば、生放送のニュース番組のなかで緊急速報文が表示される場合には、その緊急速報が番組のなかで取り上げられたり、番組の進行や内容が変更されたりする。このよう場合には、緊急速報文の表示は番組と一体化しており、これを抜き出してしまっては番組を把握することが困難になってしまう。
【課題を解決するための手段】
【０００６】
上記課題を解決するための手段として、以下の発明などを提供する。すなわち、第一の発明として、緊急速報文を表示する機能を有する画像録画装置であって、現在録画中の番組が生放送であるかを判断する第一判断部と、現在録画中の番組のコンテンツ属性を判断する第二判断部と、第一判断部での判断結果と第二判断部での判断結果と所定のルールを用いて受信した緊急速報文を録画するか判断する第三判断部と、第三判断部での判断結果に従って緊急速報文を番組とともに録画する画像録画装置を提供する。
【０００７】
第二の発明として、緊急速報文を含む文字スーパーの表示・非表示を設定する設定部を有し、設定部での設定が文字スーパーの非表示設定である場合には、第一判断部、第二判断部、第三判断部のいずれか一以上が非稼働となるように構成されている第一の発明に記載の画像録画装置を提供する。
【０００８】
第三の発明として、第二判断部は、現在録画中の番組のコンテンツ属性として、番組のジャンル情報を利用する第一の発明又は第二の発明に記載の画像録画装置を提供する。
【０００９】
第四の発明として、第三判断部での判断結果が緊急速報文を番組とともに録画しないとの判断結果である場合には、緊急速報文を番組とは別に記録する緊急速報文記録部を有する第一の発明から第三の発明のいずれか一に記載の画像録画装置を提供する。
【００１０】
第五の発明として、前記所定のルールを変更するルール変更部をさらに有する第一の発明から第四の発明のいずれか一に記載の画像録画装置を提供する。
【００１１】
第六の発明として、緊急速報文を表示する機能を有する画像録画装置の動作方法であって、現在録画中の番組が生放送であるかを判断する第一判断ステップと、現在録画中の番組のコンテンツ属性を判断する第二判断ステップと、第一判断部での判断結果と第二判断部での判断結果と所定のルールを用いて受信した緊急速報文を録画するか判断する第三判断ステップと、第三判断部での判断結果に従って緊急速報文を番組とともに録画する録画ステップと、を含む画像録画装置の動作方法を提供する。
【発明の効果】
【００１２】
本発明により、録画中の番組に応じて、適宜緊急速報文を番組とともに録画し得る画像録画装置を提供することができる。
【図面の簡単な説明】
【００１３】
【図１】実施形態１の画像録画装置の利用態様の一例を示す概念図
【図２】実施形態１の画像録画装置の利用態様の一例を示す概念図
【図３】実施形態１の画像録画装置の機能ブロックの一例を示す図
【図４】所定のルールを表として示した図
【図５】実施形態１の画像録画装置のハードウェア構成の一例を表す図
【図６】実施形態１の画像録画装置における処理の流れの一例を示すフローチャート
【発明を実施するための形態】
【００１４】
以下、本発明の実施の形態について説明する。なお、本発明は、これらの実施形態に何ら限定されるべきものではなく、その要旨を逸脱しない範囲において、種々なる態様で実施し得る。
【００１５】
実施形態１は、主に請求項１、３、６について説明する。実施形態２は、主に請求項２について説明する。実施形態３は主に請求項４について説明する。実施形態４は、主に請求項５について説明する。
<実施形態１>
<実施形態１  概要>
【００１６】
本実施形態は、録画中の番組の内容等に応じて、録画中に受信した緊急速報文を番組とともに録画するかどうかを自動的に判断する画像録画装置である。
【００１７】
図１は本実施形態の画像録画装置の利用態様の一例を示す概念図である。図１（ａ）に示すように、生放送のニュース番組を録画中に地震を報知するための緊急速報文が表示されたとする。このような場合には、緊急速報文を番組とともに録画することで、図１（ｂ）に示すように、録画されたニュース番組を視聴するときには、そのときの緊急速報文が表示される。
【００１８】
一方、図２（ａ）に示すように、アニメーション映画を録画中に同様の緊急速報文が表示されたとする。このような場合には、緊急速報文を番組とともに録画しないことで、図２（ｂ）に示すように、録画したアニメーション映画を視聴するときに、緊急速報文が表示されることはない。
<実施形態１  構成>
【００１９】
本実施形態の画像録画装置の機能ブロックの一例を図３に示す。画像録画装置０３００は、第一判断部０３０１と、第二判断部０３０２と、第三判断部０３０３と、設定部０３０４と、緊急速報文記録部０３０５と、ルール変更部０３０６を有する。なお、設定部、緊急速報文記録部、ルール変更部は本実施形態において必須の構成ではないので、後述する他の実施例において説明する。
【００２０】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは補助記憶装置（不揮発性メモリ、メモリカードなどの記憶メディアとそれらメディアのリーダライタなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２１】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２２】
画像録画装置０３００は、緊急速報文を表示する機能を有する。緊急速報文は、文字スーパーに含まれる。文字スーパーは、例えば、デジタル放送においては、受信したデータパケットから文字スーパーの情報を取得し、映像データに重畳して表示される。この文字スーパーには、例えば、例えば番組の途中に「東海地方で地震発生 震源は**  想定される震度は次の通りです…」などとテロップが表示されるものや、「東京都 都知事選で○×氏が当確」などと表示されるものがある。
【００２３】
「緊急速報文」は、文字スーパーのうち、とくに緊急性の高い情報を文字や図形などにより表示されるものである。例えば、津波速報や洪水警報、緊急地震速報、速報ニュースなどがある。文字スーパーの情報は、放送波を受信したトランスポート・ストリームを、映像、音声、データの各パケットに分離し、ＰＩＤ（パケット識別子）などに基づき文字スーパーの情報を取得する。取得した文字スーパーが緊急速報文に該当するか否かの判断は、例えば、この文字スーパーの情報のなかに緊急速報として表示すべきものとしての識別子が含まれているか否か、あるいは、表示すべき文字等に「緊急」、「速報」、「警報」などの緊急速報文と関連する語句が含まれるか否かなどにより行う。
【００２４】
第一判断部０３０１は、現在録画中の番組が生放送であるかを判断する機能を有する。「生放送番組」とは、録画・録音を一旦行ったコンテンツを改めて放送するのではなく、リアルタイムで放送する番組をいう。第一判断部では、例えば、ＥＰＧ（電子番組表）などの番組情報データに基づき生放送か否かを判断する。このように、第一判断部における「判断」には、生放送であるか否かについての情報を取得し、あるいは、特定するといった意味も含まれる
【００２５】
番組が生放送である場合には、緊急速報文に関する事象について取り上げられることや、その事象が番組内容等に反映されることが多い。このような場合には、緊急速報文と番組との間に関連が認められるため、緊急速報文を番組とともに録画しておきたいと考える視聴者は少なくない。
【００２６】
第二判断部０３０２は、現在録画中の番組のコンテンツ属性を判断する機能を有する。「コンテンツ属性」とは、例えば、番組の「ジャンル」、「出演者」、「制作者」、「制作日時」などが挙げられる。「コンテンツ属性を判断する」とは、録画中の番組がどのようなコンテンツ属性を有しているかを判断することを意味し、例えば、ＥＰＧなどから番組のジャンルを示す情報を取得して、当該番組のジャンルが「ニュース」であると判断する。このように、第二判断部における「判断」には、番組のコンテンツ属性を取得し、あるいは、特定するといった意味も含まれる。
【００２７】
第三判断部０３０３は、第一判断部での判断結果と第二判断部での判断結果と所定のルールを用いて受信した緊急速報文を録画するか判断する機能を有する。ここで、「所定のルール」とは、例えば、第一判断部での判断結果が「生放送である」という結果で、かつ、第二判断部での判断結果が「番組のジャンルはニュースである」という結果である場合に、緊急速報文を「録画する」というようなものである。なお、このような判断を行うために、第三判断部は、取得した文字スーパーが緊急速報文に該当するか否かを判断する機能をも有する。この判断については、既に「緊急速報文」を説明する際に述べた。
【００２８】
図４は、所定のルールを表として示した図である。縦の欄にコンテンツ属性として「ジャンル」を配している。横の欄には、「生放送」であるか「録画放送」であるかを配している。「録画放送」とは「非生放送」という意味である。この縦横の欄に記されている「○」が緊急速報文を録画する場合を示し、「×」が緊急速報文を録画しない場合を示している。また、「生放送」である「映画、ドラマ、アニメ」については、実在しない番組として「−」と記し、判断の対象から除外している。なお、実在するか否かを問わず、判断の対象としてもよい。
【００２９】
「録画放送」であっても、「ニュース」や「ワイドショー」においては緊急速報文を録画するとしているのは、これらのジャンルの番組を録画する利用者においては、時事に対する関心が高い場合があり、「その時」に「どんなこと」が起こったのかが分かる緊急速報文の表示を好ましく感じる場合があるからである。
【００３０】
このような所定のルールは、緊急速報文の録画を実行するか否かの条件を設定するためにあり、利用者の好みや意向が反映されることが好ましい。したがって、利用者が所定のルールを変更し得るように構成することが好ましい。
【００３１】
第三判断部は、所定のルールを複数保持していてもよい。例えば、複数の利用者に利用される場合には、各利用者を識別する情報と利用者毎の所定のルールとを関連付けて保持しておく。録画予約を行うときに、その予約をした利用者を識別する情報を取得するように構成することで、その予約された番組の録画中に緊急速報文が受信された場合には、予約した利用者の所定のルールにより緊急速報文の録画を行うか否かが判断される。
【００３２】
画像録画装置は、第三判断部での判断結果に従って緊急速報文を番組とともに録画する。緊急速報文を番組とともに録画するという処理は、受信した番組を通常の通り録画する態様と変わらない。一方、番組とともに録画するとの判断が行われなかった場合には、例えば、緊急速報文に該当された文字スーパーの情報を削除して番組の録画を行う。具体的には、緊急速報文に該当すると特定された文字スーパーのパケット識別子をフィルタリングして録画対象から除外する処理などを行う。このような処理を行うことにより、録画された番組を再生するときには、緊急速報文が表示されることはない。
【００３３】
なお、第三判断部の判断結果に従った録画は、画像録画装置が備える記憶装置にて録画を行う場合の他、上記における各処理を行ったうえで外部の記憶装置に出力し録画させるように構成してもよい。
<実施形態１  ハードウェア構成>
【００３４】
図５は、本実施形態の画像録画装置の上記機能的構成をハードウェアとして実現した際の一例を表す図である。
【００３５】
図５に示すように画像録画装置は、各種演算処理を実行し、第一判断部や第二判断部や第三判断部を実現するためのＣＰＵ０５０１及び主メモリ０５０２を有する。また、所定のルールやＥＰＧ情報や番組などを記憶する記憶装置０５０３や、テレビ放送波を受信するためのチューナ０５０４、番組などを表示するディスプレイ０５０５、外部の記憶装置などとの接続を実現するためのＩ／Ｏ（インプット／アウトプット）０５０６などを有する。また、図示しないが通信インターフェイスなどを備えていてもよい。そして、それらがシステムバス０５０７などのデータ通信経路により相互に接続され、情報の送受信や処理などを行う。
【００３６】
また、主メモリにはプログラムが読み出され、ＣＰＵは読み出された当該プログラムを参照し、プログラムで示される手順に従い各種演算処理を実行する。また、主メモリや記憶装置にはそれぞれ複数のアドレスが割り当てられており、ＣＰＵの演算処理においては、そのアドレスを特定し格納されているデータにアクセスすることで、データを用いた演算処理を行うことが可能となっている。
【００３７】
画像録画装置において、ＣＰＵは第一判断プログラムを実行し、現在録画中の番組が生放送であるかを判断し、判断結果を所定の記憶領域に格納する。そして、第二判断プログラムを実行し、現在録画中の番組のコンテンツ属性を判断し、判断結果を所定の記憶領域に格納する。そして、第三判断プログラムを実行して、保持されている所定のルールを読み出し、さらに、格納されている判断結果を読み出し、緊急速報文を記録するかを判断する。そして、判断結果に基づいて緊急速報文の録画を実行する。
<実施形態１  処理の流れ>
【００３８】
図６は、本実施形態の画像録画装置における処理の流れの一例を示すフローチャートである。なお、以下に示すステップは、上記のような計算機の各ハードウェア構成よって実行されるステップであってもよいし、媒体に記録され計算機を制御するためのプログラムを構成する処理ステップであってもよい。
【００３９】
図６に示すように、まず、現在録画中の番組が生放送であるかを判断する（ステップＳ０６０１）。そして、その判断結果である第一の判断結果を取得する（ステップＳ０６０２）。続いて、現在録画中の番組のコンテンツ属性を判断する（ステップＳ０６０３）。そして、その判断結果である第二の判断結果を取得する（ステップＳ０６０４）。そして、所定のルールに第一及び第二の判断結果を適用し第三の判断結果を取得する（ステップＳ０６０５）。そして、第三の判断結果が緊急速報文を録画するとの結果であるか否かを判断する（ステップＳ０６０６）。第三の判断結果が録画するとの判断結果である場合には、緊急速報文を番組とともに録画する（ステップＳ０６０７）。一方、第三の判断結果が録画しないとの判断結果である場合には、緊急速報文を番組とともに録画しない（ステップＳ０６０８）。
<実施形態１  効果>
【００４０】
本実施形態の画像録画装置により、録画中の番組に応じて、適宜緊急速報文を番組とともに録画することができる。
<実施形態２>
<実施形態２  概要>
【００４１】
本実施形態の画像録画装置は、文字スーパーを表示又は非表示の設定を可能にする。そして、表示を設定した場合には、第一判断部、第二判断部、第三判断部の判断に関わらず緊急速報文を番組とともに録画し、非表示の設定をした場合には、第一判断部、第二判断部、第三判断部の判断に関わらず緊急速報文を番組とともに録画しないように構成される。
<実施形態２  構成>
【００４２】
本実施形態に係る画像録画装置は実施形態１を基本とし、さらに、設定部０３０４を有する。第一判断部０３０１、第二判断部０３０２、第三判断部０３０３ついては、実施形態１におけるものと同様であるため、ここでの説明は省略する。なお、緊急速報文記録部０３０５、ルール変更部０３０６は本実施形態において必須の構成ではないので、後述する他の実施例において説明する。
【００４３】
設定部０３０４は、緊急速報文を含む文字スーパーの表示・非表示を設定する機能を有する。この機能により、利用者は受信した文字スーパーを表示させるか否かの選択をし得る。表示・非表示の設定は、視聴し得る番組のすべてを対象とするものであってもよいし、チャンネル単位や番組単位などで行い得るように構成してもよい。
【００４４】
画像録画装置は、設定部での設定が文字スーパーの非表示設定である場合には、第一判断部、第二判断部、第三判断部のいずれか一以上が非稼働となるように構成されている。このように構成することにより、結果的に第三判断部の判断結果に従って緊急速報文が番組とともに録画されることがなくなる。
【００４５】
また、設定部での設定に基づいて緊急速報文を番組とともに録画するように構成してもよい。例えば、文字スーパーの表示を設定した場合には、緊急速報文を番組とともに録画し、文字スーパーの非表示を設定した場合には、緊急速報文を番組とともに録画しないように構成してもよい。
【００４６】
このように構成する技術的な意義は、文字スーパーを表示させるか否かに対する利用者の意向が、いずれかの設定を行うことにより特定される場合には、緊急速報文を番組とともに録画するかについても、その意向に則したものとすることである。
【００４７】
また、表示・非表示のいずれかが設定されない場合には、いずれかの意向が特定されないので、第三判断部の判断結果に従って緊急速報文を番組とともに録画することとなる。したがって、利用者にとっては、表示・非表示の設定、またはその設定に基づいた録画・非録画の設定の他に、第三判断部によるいわば自動設定という選択肢を得ることができる。多数の番組を録画するような場合には、このような構成は利用者にとってとくに有益である。
<実施形態２  ハードウェア構成>
【００４８】
本実施形態の画像録画装置は、実施形態１で説明したハードウェア構成に準じて実現することができる。よって、ここでの説明は省略する。
<実施形態２  処理の流れ>
【００４９】
本実施形態の画像録画装置における処理の流れの一例としては、まず、文字スーパーの表示・非表示の設定の指示入力を受け付ける。そして、指示入力がない場合には、実施形態１において説明した流れで処理が行われる。一方、表示・非表示のいずれかの指示入力がなされた場合には、実施形態１において説明した流れのすべてが行われないようにするための処理がなされる。
<実施形態２  効果>
【００５０】
本実施形態の画像録画装置により、利用者は自ら文字スーパーの表示・非表示を設定し得るとともに、設定しない場合には、録画中の番組に応じて、適宜緊急速報文が番組とともに録画されるという便益を得ることができる。
<実施形態３>
<実施形態３  概要>
【００５１】
本実施形態は、第三判断部での判断結果が緊急速報文を番組とともに録画しないとの判断結果である場合でも、緊急速報文を番組とは別に記録しておくことにより、後において緊急速報文を確認することができる。
<実施形態３  構成>
【００５２】
本実施形態に係る画像録画装置は実施形態１又は２を基本とし、さらに、緊急速報文記録部０３０５を有する。第一判断部０３０１、第二判断部０３０２、第三判断部０３０３設定部０３０４ついては、実施形態１又は２におけるものと同様であるため、ここでの説明は省略する。なお、ルール変更部０３０６は本実施形態において必須の構成ではないので、後述する他の実施例において説明する。
【００５３】
緊急速報文記録部０３０５は、第三判断部での判断結果が緊急速報文を番組とともに録画しないとの判断結果である場合には、緊急速報文を番組とは別に記録する機能を有する。
【００５４】
上述したように、第三判断部で番組とともに録画しないと判断された緊急速報文は、例えば、その緊急速報文を含む文字スーパーのパケット識別子をフィルタリングして録画対象から除外される。この除外対象となった文字スーパーを番組とは別に記録することで、緊急速報文が記録される。
【００５５】
緊急速報文の記録を受信されたときに録画中だった番組と関連付けておき、後になって、その番組の映像と重畳して表示し得るように構成してもよい。また、記録されている緊急速報文を、それが受信された日時や番組名などの属性情報とともに閲覧可能に構成してもよい。
<実施形態３  ハードウェア構成>
【００５６】
本実施形態の画像録画装置は、実施形態１又は２で説明したハードウェア構成に準じて実現することができる。よって、ここでの説明は省略する。
<実施形態３  処理の流れ>
【００５７】
本実施形態の画像録画装置における処理の流れは、実施形態１又は２における処理の流れに準じたものとなる。よって、ここでの説明は省略する。
<実施形態３  効果>
【００５８】
本実施形態の画像録画装置により、録画の対象から除外された緊急速報文を番組とは別に記録することにより、後に緊急速報文を確認することができる。
<実施形態４>
<実施形態４  概要>
【００５９】
本実施形態の画像録画装置は、第三判断部で用いられる所定のルールを変更できるようにすることで、緊急速報文を番組とともに録画するかについて、より利用者の好みなどに則して判断することが可能となる。
<実施形態４  構成>
【００６０】
本実施形態に係る画像録画装置は実施形態１から３のいずれか一を基本とし、さらに、ルール変更部０３０６を有する。第一判断部０３０１、第二判断部０３０２、第三判断部０３０３、設定部０３０４、緊急速報文記録部０３０５ついては、実施形態１から３のいずれか一におけるものと同様であるため、ここでの説明は省略する。
【００６１】
ルール変更部０３０６は、所定のルールを変更する機能を有する。上述したように「所定のルール」は、第一判断部及び第二判断部の判断結果を用いて、緊急速報文を録画中の番組とともに録画するか否かの判断を行うために用いられる。
【００６２】
所定のルールの変更は、例えば、「生放送」であって、かつ、「ニュース、ワイドショー」である番組を録画中に緊急速報文を受信した場合に緊急速報文を番組とともに録画する、というルールを、「生放送」であるか否かを問わず「ニュース」を録画中に緊急速報文を受信した場合に緊急速報文を番組とともに録画する、というルールに変更するといった具合である。
【００６３】
所定のルールの変更は、例えば、図４で示したように表の態様でルールを表示し、各欄において「○」あるいは「×」の選択を入力し得るように構成してもよい。また、予め設定される複数のルールの中から選択可能に構成してもよい。さらには、緊急速報文において報知される情報の内容に応じて録画するか否かのルールを変更し得るように構成してもよい。例えば、「地震」に関する緊急速報文については、録画中の番組のコンテンツ属性に関わらず番組とともに録画するとのルールにすることである。例えば、緊急速報文に含まれる文字列のなかに「地震」が含まれるかを判定することで、このようなルールに基づいた録画は可能になる。
<実施形態４  ハードウェア構成>
【００６４】
本実施形態の画像録画装置は、実施形態１などで説明したハードウェア構成に準じて実現することができる。よって、ここでの説明は省略する。
<実施形態４  処理の流れ>
【００６５】
本実施形態の画像録画装置における処理の流れは、実施形態１などにおける処理の流れに準じたものとなる。よって、ここでの説明は省略する。
<実施形態４  効果>
【００６６】
本実施形態の画像録画装置により、緊急速報文を番組とともに録画するかについて、より利用者の好みなどに則して判断することが可能となる。
【符号の説明】
【００６７】
０３００  画像録画装置
０３０１  第一判断部
０３０２  第二判断部
０３０３  第三判断部
０３０４  設定部
０３０５  緊急速報文記録部
０３０６  ルール変更部
【図１】
2013126038.tif 000003
【図２】
2013126038.tif 000004
【図３】
2013126038.tif 000005
【図４】
2013126038.tif 000006
【図５】
2013126038.tif 000007
【図６】
2013126038.tif 000008